(57)【特許請求の範囲】
【請求項１】
装飾フィルム材（２１）とパネル本体部材（３１）がフィルムインサート射出成形により積層一体化されたものであって、前記装飾フィルム材（２１）には透光部（２３）の形成された照明部（２２）が設けられ、前記パネル本体部材（３１）には前記照明部（２２）の裏側位置に投光用開口部（３８）が設けられている照明式パネルにおいて、
前記装飾フィルム材（２１）における前記照明部（２２）の裏面に光透過材料からなる光透過補強部材（４１）が積層され、
前記パネル本体部材（３１）は、前記投光用開口部（３８）が前記光透過補強部材（４１）で塞がれた状態で射出成形されていることを特徴とする照明式パネル。
【請求項２】
前記光透過補強部材が前記装飾フィルム材の裏面略全体に設けられていることを特徴とする請求項１に記載の照明式パネル。
【発明の詳細な説明】
【技術分野】
【０００１】
本発明は、自動車のエアコン操作部やシフトレバー操作部、キーレスエントリー用キーケース部などの操作部に用いられる照明式パネルに関する。
【背景技術】
【０００２】
従来、自動車のエアコン操作部やシフトレバー操作部などの操作部には、操作状態を示すための文字や図形などが表面に表示されたパネルが用いられている。図４は、エアコン操作部のパネルの正面図である。さらに、前記操作部のパネルは、夜間における操作位置の確認を容易とするため、裏側にランプ等の発光装置が配置されて前記文字や図形等の操作表示が発光装置の発光により照明される照明式パネル５０で構成されている。符号Ｔ１とＴ２は、エアコンの風量調節と温度調節を行うための操作つまみであり、前記照明式パネル５０に取り付けられる。
【０００３】
従来の照明式パネル５０は、５−５断面を示す図５（操作つまみＴ１，Ｔ２及び発光装置を省略した図）のように、装飾フィルム材５１とパネル本体部材６１がフィルムインサート射出成形により積層一体化されたものであって、前記装飾フィルム材５１には文字や図形等からなる操作表示（例えば風量や温度等の表示）で構成される透光部５２の形成された照明部５３が設けられ、一方、前記パネル本体部材６１には前記照明部５３の裏側位置に投光用開口部６３が設けられている。符号６５は、操作つまみ挿入孔である。
【０００４】
前記照明式パネル５０においては、前記装飾フィルム材５１の照明部５３は、前記透光部５２を除く部分が光の透過し難い濃色などで構成され、一方、前記透光部５２が光透過可能な薄い色あるいは明るい色、または透明などで構成されており、前記発光装置による光が前記パネル本体部材６１の投光用開口部６３を通って照明部５３を照らした際に、前記照明部５３の透光部５２が明るく表示されるようになっている。
【０００５】
前記フィルムインサート射出成形による照明式パネル５０の成形は、前記透光部５２や前記照明部５３及び他の部分が塗装等によって所定の色とされた装飾フィルム材５１を射出成形型内にセットし、その後射出成形型内に樹脂を射出して前記パネル本体部材６１を成形することにより行われる。その際、前記装飾フィルム材５１の照明部５３の裏側には型の一部が配置されて前記投光用開口部６３がパネル本体部材６１に形成される。
【０００６】
しかし、フィルムインサート射出成形された従来の照明式パネル５０には、以下の問題がある。
【０００７】
第１に、射出成形時に前記投光用開口部６３の内周縁６４位置で前記装飾フィルム材５１に射出圧及び射出熱が集中するため、前記装飾フィルム材５１には、前記投光用開口部６４の内周縁の位置で圧力マークと称される色の差を生じ易くなり、前記照明式パネル５０の美観が損なわれるおそれがある。
【０００８】
第２に、前記装飾フィルム材５１は、前記パネル本体部材６１の投光用開口部６３と対応する部分、すなわち前記照明部５３では前記パネル本体部材６１で裏打ちされていないため、フィルムインサート射出成形後の冷却等によって前記照明部５３とその周囲との間でフィルムの収縮差を生じて照明部５３が撓んだり、その撓みによって前記装飾フィルム材５１に投光用開口部６３の内周縁でラインが発生したりして、前記照明式パネル５０の美観が損なわれるおそれがある。
【０００９】
第３に、前記装飾フィルム材５１の透光部５２を構成する文字や図形等を大にして操作者に認識し易くするには、前記パネル本体部材６１の投光用開口部６３を大きくして前記照明部５３を大にする必要があるが、前記投光用開口部６３及び照明部５３を大きくすると、フィルムだけからなる前記照明部５３の強度低下が大になって、前記操作つまみによる操作等の際に操作者の指が照明部５３と当接して照明部５３を破損し易くなったり、通常時にも前記照明部５３に撓みを生じて見苦しくなったりするおそれがある。
【００１０】
【特許文献１】特開平１１−２０８２４９号公報
【発明の開示】
【発明が解決しようとする課題】
【００１１】
本発明は前記の点に鑑みなされたものであって、装飾フィルム材の照明部に圧力マークが発生することなどによる美観の低下を抑えることができ、しかも文字や図形等からなる透光部を認識し易いように大きくしても、装飾フィルム材の照明部における強度低下や、撓みなどによる美観低下を防ぐことができる照明式パネルの提供を目的とする。
【課題を解決するための手段】
【００１２】
請求項１の発明は、装飾フィルム材とパネル本体部材がフィルムインサート射出成形により積層一体化されたものであって、前記装飾フィルム材には透光部の形成された照明部が設けられ、前記パネル本体部材には前記照明部の裏側位置に投光用開口部が設けられている照明式パネルにおいて、前記装飾フィルム材における前記照明部の裏面に光透過材料からなる光透過補強部材が積層され、前記パネル本体部材は、前記投光用開口部が前記光透過補強部材で塞がれた状態で射出成形されていることを特徴とする。
【００１３】
請求項２の発明は、請求項１において、前記光透過補強部材が前記装飾フィルム材の裏面略全体に設けられていることを特徴とする。
【発明の効果】
【００１４】
本発明によれば、装飾フィルム材における照明部の裏面に光透過材料からなる光透過補強部材が積層されているため、射出成形時にパネル本体部材の投光用開口部の内周縁位置で装飾フィルム材に射出圧が集中するのを防ぐことができ、装飾フィルム材において投光用開口部内縁の位置に圧力マークと称される色の差を生じ難くでき、照明式パネルの美観が損なわれるのを防ぐことができる。
【００１５】
また、本発明によれば、装飾フィルム材における照明部の裏面に光透過材料からなる光透過補強部材が積層されているため、フィルムインサート射出成形後の冷却等によって照明部とその周囲との間でフィルムの収縮差を生じて撓んだり、その撓みによって装飾フィルム材に投光用開口部の内縁でラインが発生したりするのを生じ難くでき、照明式パネルの美観が損なわれるのを防ぐことができる。
【００１６】
さらに、本発明によれば、装飾フィルム材における照明部の裏面に光透過材料からなる光透過補強部材が積層されているため、装飾フィルム材の透光部を構成する文字や図形等を大にして操作者に認識し易くする目的などで、パネル本体部材の投光用開口部を大きくして照明部を大にする場合にも、照明部の強度低下を抑えて破損を防ぐことができると共に、照明部に撓みを生じて見苦しくなったりするのを防ぐことができる。
【発明を実施するための最良の形態】
【００１７】
以下本発明の実施形態を説明する。図１は本発明の一実施形態に係る照明式パネルの部分断面図、図２は他の実施形態に係る照明式パネルの斜視図、図３は図２の３−３断面図である。
【００１８】
図１に示す照明式パネル１０は、エアコン操作部のパネルとして用いられるものであって、図４に示したエアコン操作部のパネルと同様の外観からなる。なお、図１は、図４の５−５と同位置での断面を示す。
【００１９】
前記照明式パネル１０は、装飾フィルム材２１とパネル本体部材３１と光透過補強部材４１とよりなり、公知のフィルムインサート射出成形により積層一体化され、所定位置に筒状部３２が前面へ突出形成されたものからなる。前記筒状部３２内の底面３３の中央には、操作つまみを回動可能に挿入するための孔３４が形成されている。また、前記筒状部３２の周壁は、外周壁３５と内周壁３６の二重壁構造からなり、前記外周壁３５と内周壁３６の前端間の透光用開口部３８が前記装飾フィルム材２１と前記光透過補強部材４１により塞がれた構造からなる。
【００２０】
前記装飾フィルム材２１は、適宜の厚み（例えば０．３〜０．５ｍｍ程度）のプラスチックフィルムからなり、前記筒状部３２における外周壁３５及び内周壁３６の前端間の透光用開口部３８を覆うことのできる環状溝形状からなり、真空成形等により賦形されている。また、前記装飾フィルム材２１は、前面及び両側部の前端側部分が照明部２２とされ、前記照明部２２に透光部２３が形成されている。前記照明部２２は、前記装飾フィルム材２１において前記透光用開口部３８を覆う部分に相当する。前記透光部２３は、文字や図形等からなる操作表示で構成されると共に、光の透過可能な薄い色あるいは明るい色（例えば白や黄、青など）または透明などで構成されており、前記照明式パネル１０の裏側に配置される発光装置による光が透過可能とされている。また、前記照明部２２における前記透光部２３を除く部分は、光の透過し難い濃色（例えば黒や濃紺）などで構成されている。なお、本実施例の装飾フィルム材２１においては、前記透光部２３のみが光透過可能とされ、その他の全体については光が透過し難い色とされている。
【００２１】
前記装飾フィルム材２１における前記照明部２２の裏面には、光透過材料からなる光透過補強部材４１が積層一体化されている。前記光透過材料は、光が透過可能な透明（無色透明あるいは着色透明）プラスチックとされる。前記光透過補強部材４１は前記透光用開口部３８を塞ぐことができるように、前記照明部２２の裏面全体に形成されている。前記光透過補強部材４１の厚みは、適宜とされるが、例として数ｍｍ厚を挙げる。
【００２２】
前記パネル本体部材３１は、前記照明式パネル１０の基材となるものであって、剛性を有するプラスチックからなり、前記外周壁３５と内周壁３６の二重壁構造かなる筒状部３２を備える。前記筒状部３２内には前記底面３３が形成され、さらに前記底面３３に操作つまみ挿入用の前記孔３４が形成されている。前記筒状部３２の外周壁３５と内周壁３６間は光透過通路３７とされると共に、前記光透過通路３７の前端、すなわち前記外周壁３５と内周壁３６の前端間が前記透光用開口部３８として開口している。前記透光用開口部３８は前記光透過補強部材４１で塞がれ、さらに前記光透過補強部材４１の表面が前記装飾フィルム材２１によって覆われている。
【００２３】
前記照明式パネル１０のインサートフィルム射出成形は、予め賦形した前記装飾フィルム材２１を射出成形型にセットし、前記装飾フィルム材２１の照明部２２の裏面に前記光透過補強部材４１を射出成形し、その後に前記パネル本体部材３１を射出成形することにより行うことができる。
【００２４】
前記照明式パネル１０は、裏側に配置される発光装置からの光が前記筒状部３２の光透過通路３７を通り、前記透光用開口部３８の光透過補強部材４１を経て前記装飾フィルム材２１の前記照明部２２裏面を照射することにより、前記照明部２２における透光部２３が明るく照明される。
【００２５】
なお、前記実施形態の照明式パネル１０では、前記光透過補強部材４１を前記装飾フィルム材２１の照明部２２裏面のみに設けることにより、光透過補強部材４１の量を少なくし、前記照明式パネル１０の軽量化及び低コストを実現しているが、前記光透過補強部材４１を前記装飾フィルム材２１の裏面全体に設けてもよい。
【００２６】
図２及び図３に、他の実施形態に係る照明式パネル１０Ａを示す。前記照明式パネル１０Ａは、光透過補強部材４１Ａを装飾フィルム材２１Ａの裏面略全体に設けたものであって、自動車のシフトレバー操作部に用いられるものである。前記照明式パネル１０Ａは、フィルムインサート射出成形により形成される。符号２２Ａは照明部、２３Ａは透光部、３１Ａはパネル本体部材、３８Ａは透光用開口部、３９Ａはシフトレバー移動用開口部である。
【００２７】
なお、本発明の照明式パネルは、前記のようなエアコンの操作部のパネルやシフトレバー操作部のパネルに限定されず、その他の操作部パネルにも適用可能である。
【図面の簡単な説明】
【００２８】
【図１】本発明の一実施形態に係る照明式パネルの部分断面図である。
【図２】本発明における他の実施形態に係る照明式パネルの斜視図である。
【図３】図２の３−３断面図である。
【図４】従来におけるエアコン操作部のパネルの斜視図である。
【図５】図４の５−５断面図である。
【符号の説明】
【００２９】
１０  照明式パネル
２１  装飾フィルム材
２２  照明部
２３  透光部
３１  パネル本体部材
３８  透光用開口部
４１  光透過補強部材
【図１】
0004628923.tif 000002
【図２】
0004628923.tif 000003
【図３】
0004628923.tif 000004
【図４】
0004628923.tif 000005
【図５】
0004628923.tif 000006